(57)【要約】通信装置は、ユーザコンピュータ装置で表示されたメディアデータを受信するＵＳＢ  Ｔｙｐｅ−Ｃ（ＵＳＢ−Ｃ）ポートと、該メディアデータをフォーマット変換されたメディアデータに変換する信号変換回路と、該信号変換回路及び該ＵＳＢ−Ｃポートに通信可能に接続され、符号化スキームに従って、該フォーマット変換されたメディアデータを圧縮されたメディアデータストリームに圧縮するハードウェアプロセッサと、無線ネットワークを用いて、該圧縮されたメディアデータストリームを、該メディアデータを表示するための大型表示装置に送信する無線送信インターフェイスと、を含む。
2021520692.tif 000002
【特許請求の範囲】
【請求項１】
ユーザコンピュータ装置で表示されたメディアデータを受信するＵＳＢ  Ｔｙｐｅ−Ｃ（ＵＳＢ−Ｃ）ポートであって、前記メディアデータは、ビデオデータ又はオーディオデータの少なくとも１つを含む、ＵＳＢ−Ｃポートと、
前記メディアデータをフォーマット変換されたメディアデータに変換する信号変換回路と、
前記信号変換回路及び前記ＵＳＢ−Ｃポートに通信可能に接続され、符号化スキームに従って、前記フォーマット変換されたメディアデータを圧縮されたメディアデータストリームに圧縮するハードウェアプロセッサと、
無線ネットワークを用いて、前記圧縮されたメディアデータストリームを、前記メディアデータを表示するための大型表示装置に送信する無線送信インターフェイスと、を含む、通信装置。
【請求項２】
前記通信装置は、前記ユーザコンピュータ装置を前記大型表示装置に接続するための会議室で利用可能なドングルであり、
前記ユーザコンピュータ装置は、パーソナルコンピュータ、タブレットコンピュータ、又はスマートフォンのうちの１つであり、
前記大型表示装置は、大型タッチスクリーンである、請求項１に記載の通信装置。
【請求項３】
前記メディアデータから前記フォーマット変換されたメディアデータへの変換を開始するためのユーザ起動を受け付ける物理的なアクチュエータ、をさらに含み、
前記ユーザ起動の前に、前記通信装置は、前記メディアデータを破棄する、請求項１又は２に記載の通信装置。
【請求項４】
前記ユーザコンピュータ装置のＵＳＢ―Ｃポートに接続されるためのＵＳＢ―Ｃケーブル、をさらに含み、
前記ＵＳＢ―Ｃポートは、前記メディアデータを送信するための第１差動データチャネルペアを含む、請求項１又は２に記載の通信装置。
【請求項５】
前記通信装置が前記ユーザコンピュータ装置に接続されていると検出された場合、前記ハードウェアプロセッサは、前記ＵＳＢ―Ｃポートの構成チャネルを用いて、ＤｉｓｐｌａｙＰｏｒｔモードで動作するように前記第１差動データチャネルペアを構成するために前記ユーザコンピュータ装置に要求を送信する、請求項４に記載の通信装置。
【請求項６】
前記ＤｉｓｐｌａｙＰｏｒｔモードで動作するように前記第１差動データチャネルペアを構成する場合、前記ユーザコンピュータ装置は、前記ユーザコンピュータ装置の記憶部に記憶された前記メディアデータを前記通信装置に送信する、請求項５に記載の通信装置。
【請求項７】
前記フォーマット変換されたメディアデータは、ＭＩＰＩ（Ｍｏｂｉｌ  Ｉｎｄｕｓｔｒｙ  Ｐｒｏｃｅｓｓｏｒ  Ｉｎｔｅｒｆａｃｅ）ビデオデータ又はＩ２Ｓ（Ｉｎｔｅｒ−ＩＣ  Ｓｏｕｎｄ）信号のうちの少なくとも１つを含み、
前記圧縮されたメディアデータストリームは、Ｈ．２６５／Ｈ．２６４ビデオストリーム又はＭＰ３オーディオストリームのうちの少なくとも１つを含む、請求項１又は２に記載の通信装置。
【請求項８】
前記大型表示装置は、
前記大型表示装置のタッチスクリーンとのユーザインタラクションに関連するパラメータデータを取り込むフィードバック装置と、
前記取り込まれたパラメータデータを前記通信装置に送信する第２無線送信インターフェイスと、を含む、請求項１又は２に記載の通信装置。
【請求項９】
前記パラメータデータが受信された場合、前記ハードウェアプロセッサは、前記ＵＳＢ―Ｃポートの第２差動チャネルペアを用いて、前記パラメータデータを提供して前記パラメータデータを前記ユーザコンピュータ装置に送信し、
前記ユーザコンピュータ装置は、前記ユーザインタラクションをシミュレートする、請求項８に記載の通信装置。
【請求項１０】
前記フィードバック装置は、ユーザのジェスチャーの座標を取得するタッチセンサ、コンピュータマウス、又はキーボードのうちの少なくとも１つを含む、請求項８に記載の通信装置。
【請求項１１】
前記ユーザコンピュータ装置にアップロードされ、前記ユーザ処理装置のプロセッサにより実行される実行可能なプログラムを記憶する記憶装置と、
前記ＵＳＢ−Ｃポートから受信された第１電圧での第１電源を前記ハードウェアプロセッサに供給される第２電圧での１つ以上の第２電源に変換する電力管理部と、をさらに含む、請求項１又は２に記載の通信装置。
【請求項１２】
ＵＳＢ  Ｔｙｐｅ−Ｃ（ＵＳＢ−Ｃ）ポートを介したユーザコンピュータ装置への接続が識別された場合、ハードウェアプロセッサが前記ＵＳＢ−Ｃポートの構成チャネルを用いて前記ユーザコンピュータ装置に要求を送信するステップであって、前記要求は、ＤｉｓｐｌａｙＰｏｒｔモードで動作するように前記ＵＳＢ−Ｃポートの第１差動データチャネルペアを構成するために前記ユーザコンピュータ装置に指示する、ステップと、
アクチュエータが有効状態にあると決定された場合、前記第１差動データチャネルペアを介して、前記ユーザコンピュータ装置に表示されたメディアデータを搬送するＤｉｓｐｌａｙＰｏｒｔデータパケットを受信するステップであって、前記メディアデータは、ビデオデータ又はオーディオデータのうちの少なくとも１つを含む、ステップと、
前記メディアデータをフォーマット変換されたメディアデータに変換するステップと、
符号化スキームに従って、前記フォーマット変換されたメディアデータを圧縮されたメディアデータストリームに符号化するステップと、
無線ネットワークを用いて、前記圧縮されたメディアデータストリームを、前記メディアデータを表示するための大型表示装置に送信するステップと、
前記大型タッチスクリーンとのユーザインタラクションを表すタッチデータが受信された場合、前記ＵＳＢ−Ｃポートの第２差動データチャネルペアを用いて前記タッチデータを前記ユーザコンピュータ装置に送信するステップと、を含む、方法。
【請求項１３】
前記ユーザコンピュータ装置は、パーソナルコンピュータ、タブレットコンピュータ、又はスマートフォンのうちの１つである、請求項１２に記載の方法。
【請求項１４】
前記アクチュエータが無効状態にあると決定された場合、前記ＤｉｓｐｌａｙＰｏｒｔデータパケットを破棄するステップ、をさらに含む、請求項１２又は１３に記載の方法。
【請求項１５】
前記ＤｉｓｐｌａｙＰｏｒｔモードで動作するように前記第１差動データチャネルペアが構成された場合、前記ユーザコンピュータ装置は、前記ユーザコンピュータ装置の記憶部に記憶された前記メディアデータを前記ＵＳＢ−Ｃポートの前記第１差動データチャネルペアに送信する、請求項１２又は１３に記載の方法。
【請求項１６】
前記フォーマット変換されたメディアデータは、ＭＩＰＩ（Ｍｏｂｉｌ  Ｉｎｄｕｓｔｒｙ  Ｐｒｏｃｅｓｓｏｒ  Ｉｎｔｅｒｆａｃｅ）ビデオデータ又はＩ２Ｓ（Ｉｎｔｅｒ−ＩＣ  Ｓｏｕｎｄ）信号のうちの少なくとも１つを含み、
前記圧縮されたメディアデータストリームは、Ｈ．２６５／Ｈ．２６４ビデオストリーム又はＭＰ３オーディオストリームのうちの少なくとも１つを含む、請求項１２又は１３に記載の方法。
【請求項１７】
前記大型タッチスクリーンは、前記大型タッチスクリーンのスクリーンとのユーザインタラクションに関連するタッチデータを取り込み、
前記タッチデータは、前記スクリーンにおいてポインティングするユーザのジェスチャーの座標を含む、請求項１２又は１３に記載の方法。
【請求項１８】
前記ＵＳＢ−Ｃポートの第２差動データチャネルペアを介してタッチデータが受信された場合、前記ユーザコンピュータ装置の第２ハードウェアプロセッサは、前記ユーザコンピュータ装置で前記大型タッチスクリーンとの前記ユーザインタラクションをシミュレートする、請求項１２又は１３に記載の方法。
【請求項１９】
命令が記憶されている非一時的な機器読み取り可能な記憶媒体であって、前記命令を実行する際に、ハードウェアプロセッサは、
ＵＳＢ  Ｔｙｐｅ−Ｃ（ＵＳＢ−Ｃ）ポートを介したユーザコンピュータ装置への接続が識別された場合、前記ＵＳＢ−Ｃポートの構成チャネルを用いて前記ユーザコンピュータ装置に要求を送信し、前記要求は、ＤｉｓｐｌａｙＰｏｒｔモードで動作するように前記ＵＳＢ−Ｃポートの第１差動データチャネルペアを構成するために前記ユーザコンピュータ装置に指示し、
アクチュエータが有効状態にあると決定された場合、前記第１差動データチャネルペアを介して、前記ユーザコンピュータ装置に表示されたメディアデータを搬送するＤｉｓｐｌａｙＰｏｒｔデータパケットを受信し、前記メディアデータは、ビデオデータ又はオーディオデータのうちの少なくとも１つを含み、
前記メディアデータをフォーマット変換されたメディアデータに変換し、
符号化スキームに従って、前記フォーマット変換されたメディアデータを圧縮されたメディアデータストリームに符号化し、
無線ネットワークを用いて、前記圧縮されたメディアデータストリームを、前記メディアデータを表示するための大型表示装置に送信し、
前記大型タッチスクリーンとのユーザインタラクションを表すタッチデータが受信された場合、前記ＵＳＢ−Ｃポートの第２差動データチャネルペアを用いて前記タッチデータを前記ユーザコンピュータ装置に送信する、非一時的な機器読み取り可能な記憶媒体。
【請求項２０】
前記アクチュエータが無効状態にあると決定された場合、前記ハードウェアプロセッサは、前記ＤｉｓｐｌａｙＰｏｒｔデータパケットを破棄する、請求項１９に記載の非一時的な機器読み取り可能な記憶媒体。
【請求項２１】
大型表示装置と、
無線ネットワークを介して前記大型表示装置に接続された周辺装置と、を含み、
前記周辺装置は、
ユーザコンピュータ装置で表示されたメディアデータを受信するＵＳＢ  Ｔｙｐｅ−Ｃ（ＵＳＢ−Ｃ）ポートであって、前記メディアデータは、ビデオデータ又はオーディオデータの少なくとも１つを含む、ＵＳＢ−Ｃポートと、
前記メディアデータをフォーマット変換されたメディアデータに変換する信号変換回路と、
前記信号変換回路及び前記ＵＳＢ−Ｃポートに通信可能に接続され、符号化スキームに従って、前記フォーマット変換されたメディアデータを圧縮されたメディアデータストリームに圧縮するハードウェアプロセッサと、
無線ネットワークを用いて、前記圧縮されたメディアデータストリームを、前記メディアデータを表示するための大型表示装置に送信する無線送信インターフェイスと、を含む、システム。
【請求項２２】
前記周辺装置は、前記ユーザコンピュータ装置を前記大型表示装置に接続するための会議室で利用可能なドングルであり、
前記ユーザコンピュータ装置は、パーソナルコンピュータ、タブレットコンピュータ、又はスマートフォンのうちの１つであり、
前記大型表示装置は、大型タッチスクリーンである、請求項２１に記載のシステム。
【請求項２３】
前記ユーザコンピュータ装置は、ユーザ起動を受け付ける物理的なアクチュエータ、をさらに含み、
前記ユーザ起動の前に、前記周辺装置は、前記メディアデータを破棄する、請求項２１又は２２に記載のシステム。
【請求項２４】
前記ユーザコンピュータ装置は、前記ユーザコンピュータ装置のＵＳＢ―Ｃポートに接続されるためのＵＳＢ―Ｃケーブル、をさらに含み、
前記ＵＳＢ―Ｃポートは、前記メディアデータを送信するための第１差動データチャネルペアを含む、請求項２１又は２２に記載のシステム。
【請求項２５】
前記通信装置が前記ユーザコンピュータ装置に接続されていると検出された場合、前記ハードウェアプロセッサは、前記ＵＳＢ―Ｃポートの構成チャネルを用いて、ＤｉｓｐｌａｙＰｏｒｔモードで動作するように前記第１差動データチャネルペアを構成するために前記ユーザコンピュータ装置に要求を送信する、請求項２４に記載のシステム。
【請求項２６】
前記大型表示装置は、
前記大型表示装置のタッチスクリーンとのユーザインタラクションに関連するパラメータデータを取り込むフィードバック装置と、
前記取り込まれたパラメータデータを前記周辺装置に送信する第２無線送信インターフェイスと、を含む、請求項２１又は２２に記載のシステム。
【発明の詳細な説明】
【技術分野】
【０００１】
本開示は、インテリジェント会議システムに関し、特にインテリジェント会議システム、並びにインテリジェントに関連するツール及び周辺装置に関する。
【背景技術】
【０００２】
会議での人々のコミュニケーションを支援するために、従来技術は多くの技術的ソリューションを提供している。例えば、プレゼンテーションのコンテンツを大画面スクリーンに投影して視聴者と共有し、リモートのインスタントコミュニケーションを介して通信し、書きと描画を可能にする大型（ｌａｒｇｅ−ｆｏｒｍａｔ）表示装置（例えば大型タッチスクリーン）に表示する方法を提案している。該大型表示装置は、対角寸法が特定の長さよりも大きい（例えば３２インチよりも大きい）画面を有する装置を意味する。もう１つの方法では、無線スクリーン送信機を用いてパーソナルコンピュータ（ＰＣ）の画面画像を大型タッチスクリーンに送信する。
【図面の簡単な説明】
【０００３】
本開示は、添付されている図面において示されているが、これらの図面に限定されない。
【図１】本開示の態様に係る処理装置から大型タッチスクリーンにメディアコンテンツを送信するためのシステムを示す図である。
【図２】例示的な２４ピンのＵＳＢ−Ｃポート２００を示す図である。
【図３】本開示の態様に係るメディアコンテンツを大型タッチスクリーンに送信するためのドングルに態様されるソフトウェアプラットフォームを示す図である。
【図４】本開示の幾つかの態様に係るメディアコンテンツを大型タッチスクリーンに送信するためのドングルを操作する方法を示すフローチャートである。
【図５】本開示の他の態様に係るドングルを示す図である。
【発明を実施するための形態】
【０００４】
無線画面伝送（ｗｉｒｅｌｅｓｓ  ｓｃｒｅｅｎ  ｔｒａｎｓｍｉｓｓｉｏｎ）は、処理装置（例えば、パーソナルコンピュータ、タブレット、又はスマートフォン）への専用プログラムのインストールを含んでもよく、該専用プログラムが処理装置により実行される際に、一定の周波数又は可変な周波数で処理装置の画面画像を取り込み、取り込まれた画面画像を符号化して圧縮し、ユニバーサルシリアルバス（ＵＳＢ）ポートを介して、圧縮された画面画像を、該処理装置のＵＳＢポートに差し込まれた周辺装置に送信する。周辺装置は無線送信装置を含んでもよく、圧縮画像が受信された場合、無線送信装置は、圧縮された画面画像を復号化して表示するために大型表示装置に送信してもよい。現在の技術では、処理装置に専用プログラムをインストールする必要がある。幾つかの態様では、専用プログラムは、使用後に処理装置から削除する必要がある。専用プログラムのインストールと削除には時間がかかり、ユーザの処理装置（例えばパーソナルコンピュータ）のリソースを消費する場合がある。例えば、専用プログラムのインストールでは、処理装置の所有者がインストールの許可を与える必要がある場合がある。一部の所有者は、セキュリティの懸念により、許可を与えることを拒否又は嫌がる場合がある。
【０００５】
本開示の態様は、画面画像をユーザコンピュータ装置（例えば、パーソナルコンピュータ、タブレット、又はスマートフォン）から大型表示装置又は大型タッチスクリーンに送信するための現在の技術の上記及び他の欠陥を克服する技術的解決策を提供する。態様は、会議システムとツールなどのような周辺装置を提供し、該周辺装置は、画面画像の送信のためのユーザコンピュータ装置に専用プログラムをインストールする必要がなく、画面画像をユーザコンピュータ装置から大型タッチスクリーンに送信することができるため、準備時間を短縮し、ユーザコンピュータ装置の追加リソースを消費しない。ユーザが会議に持ってきたユーザコンピュータ装置に専用プログラムをインストールすることの代わりに、本開示の態様は、既存のドライバ（例えば、オペレーティングシステムに元々インストールされたドライバ）及びユーザコンピュータ装置のポートを用いて画面画像及び関連する音声信号を周辺装置に送信してもよい。周辺装置は、画面画像及び関連するオーディオデータをフォーマット変換されたメディアデータに変換する変換回路と、フォーマット変換されたメディアデータを圧縮されたメディアデータストリームに圧縮するハードウェアプロセッサと、圧縮されたメディアデータストリームを大型タッチスクリーンに送信する送信機と、をさらに含んでもよい。周辺装置は、訪問者が使用できるように会議室に設けられてもよい。周辺装置の送信機は、会議室に関連付けられた無線ネットワークを用いて、大型タッチスクリーンと通信を行うように構成された無線送信機であってもよい。これによって、周辺装置から専用プログラムをアップロードしたり、処理装置に該プログラムをインストールしたりする必要がなく、画面画像を大型タッチスクリーンに送信することができる。どのユーザも、ユーザコンピュータ装置の設定を変更することなく、ユーザコンピュータ装置を会議に持ち込み、メディアデータをユーザコンピュータ装置から大型タッチスクリーンに送信することができる。
【０００６】
１つの態様では、画面画像及び音声信号を送信するためのポートは、ユーザコンピュータ装置及びモバイル装置（例えば、パーソナルコンピュータ、タブレットコンピュータ、及びスマートフォン）で利用可能なユニバーサルシリアルバス（ＵＳＢ）Ｔｙｐｅ−Ｃポートである。ＵＳＢ  Ｔｙｐｅ−Ｃポートは、ディスプレイポート（ＤＰ：ＤｉｓｐｌａｙＰｏｒｔ）モード又は任意のＤＰ互換モードをサポートするピンを含む２４ピンのＵＳＢコネクタシステムを含んでもよい。ＤｉｓｐｌａｙＰｏｒｔモードでのＵＳＢ  Ｔｙｐｅ−Ｃポートは、オーディオデータ及び／又はビデオデータを含むパケット化されたデータを、例えばビデオモニタなどの表示装置に送信してもよい。従って、表示装置がＵＳＢ  Ｔｙｐｅ−Ｃを介してユーザコンピュータ装置に接続されている場合、ユーザコンピュータ装置にインストールされたＤｉｓｐｌａｙＰｏｒｔドライバは、プレゼンテーションのための表示装置へのメディアコンテンツ（オーディオ及び／又はビデオ）の送信をサポートする。ＤｉｓｐｌａｙＰｏｒｔモードでは、周辺装置はメディアコンテンツを受信して表示できる外部表示装置として扱われるため、ＤｉｓｐｌａｙＰｏｒｔモードでは、ユーザコンピュータ装置に専用プログラムをインストールする必要がなく、ユーザコンピュータ装置（例えば、パーソナルコンピュータ、タブレット、又はスマートフォン）のＵＳＢ−Ｃポートを用いてビデオ及びオーディオデータを周辺装置に送信することができる。
【０００７】
本開示の態様は、マッチしたＵＳＢ  Ｔｙｐｅ―Ｃポートを含む周辺装置（ドングル（ｄｏｎｇｌｅ）と称される）をさらに提供する。ドングルのＵＳＢ  Ｔｙｐｅ−Ｃポートは、ＵＳＢ  Ｔｙｐｅ−Ｃケーブルを用いてユーザコンピュータ装置のＴｙｐｅ−Ｃポートに接続されてもよい。ドングルが接続された場合、ユーザコンピュータ装置はドングルから要求を受信し、Ｔｙｐｅ−ＣポートをＤｉｓｐｌａｙＰｏｒｔモードで動作するように設定し、ＤｉｓｐｌａｙＰｏｒｔドライバを実行して、メディアコンテンツを含むデータパケットをユーザコンピュータ装置からドングルに送信する。オペレーティングシステムが様々な種類の外部表示装置に対応するために、ＤｉｓｐｌａｙＰｏｒｔドライバがユーザコンピュータ装置に予めインストールされているため、ビデオ画像を送信するための専用プログラムをアップロードしてインストールする必要がない。
【０００８】
メディアコンテンツの大型タッチスクリーンへの送信を容易にするために、１つの態様では、ドングルは、信号変換回路を含んでもよく、該信号変換回路は、ユーザコンピュータ装置から受信されたＤｉｓｐｌａｙＰｏｒｔプロトコルに従って、指定されたデータパケットにおけるメディアコンテンツを、ハードウェアプロセッサによる符号化及び圧縮に適するフォーマット変換されたメディアデータに変換する。１つの実施態様では、信号変換器は、メディアコンテンツをビデオデータストリームとオーディオデータストリームに分割してもよいため、ビデオデータストリームとオーディオデータストリームを２つの別々の信号ストリームとして扱う。信号変換回路は、メディアコンテンツから抽出されたビデオデータストリームを例えばＭＩＰＩ（Ｍｏｂｉｌ  Ｉｎｄｕｓｔｒｙ  Ｐｒｏｃｅｓｓｏｒ  Ｉｎｔｅｒｆａｃｅ）フォーマットなどの第１ビデオフォーマットのデータに変換し、メディアコンテンツから抽出されたオーディオデータストリームを例えばＩ２Ｓ（Ｉｎｔｅｒ−ＩＣ  Ｓｏｕｎｄ）フォーマットなどの第１オーディオフォーマットのデータに変換してもよい。ＭＩＰＩプロトコルは、ポイントツーポイント（ｐｏｉｎｔ−ｔｏ−ｐｏｉｎｔ）のビデオ伝送に使用されるプロトコルであり、Ｉ２Ｓプロトコルは、デジタルオーディオ装置を接続するための電気シリアルバスインターフェイス標準である。ＭＩＰＩビデオデータは、ＹＵＶフォーマットで表される画素を含む画像フレームのシーケンスを含んでもよい。Ｉ２Ｓオーディオ信号は、パルスコード変調（ＰＣＭ）フォーマットで表される表示されてもよい。ドングルと大型タッチスクリーンとの間の無線ネットワークが制限された帯域幅を有するため、ドングルから大型タッチスクリーンに無線で送信される前に、ＭＩＰＩビデオデータ及びＰＣＭオーディオデータの両方は、さらに圧縮される必要がある。別の態様では、信号変換器は、２つの変換回路を含んでもよい。第１変換回路は、生（ｒａｗ）のビデオデータ及び生のオーディオデータを高精細マルチメディアインターフェイス（ＨＤＭＩ（登録商標））メディアフォーマットに変換してもよい。第２変換回路は、ＨＤＭＩ（登録商標）データを別のＨＤＴＶ規格（例えば、国際電気通信連合のＢＴ．１１２０／ＢＴ．６５６）にさらに変換してもよい。このような２つのフォーマット変換されたメディアデータは、プロセッサに提供されてもよい。
【０００９】
１つの態様では、ドングルは、ハードウェアプロセッサ（例えばＡＲＭプロセッサ）をさらに含んでもよく、該ハードウェアプロセッサは、ビデオデータ及びオーディオデータを圧縮するためのビデオ／オーディオのエンコーダをサポートするようにプログラミングされてもよい。プロセッサは、ビデオ圧縮規格（例えばＨ．２６４、Ｈ．２６５など）に従ってＭＩＰＩビデオデータを符号化し、オーディオ圧縮規格（ＯＰＵＳオーディオ符号化規格又はＭＰ３規格など）に従ってＩ２Ｓオーディオデータを符号化してもよい。ドングルは、第１無線送信機／受信機をさらに含んでもよく、該第１無線送信機／受信機は、符号化及び圧縮されたビデオデータ及びオーディオデータを無線ネットワークを介して大型タッチスクリーンに関連付けられた第２無線送信機／受信機に送信してもよい。無線送信機は、大型タッチスクリーンに関連する無線受信機と通信を行うために、無線ネットワークとペアリングされた無線ネットワークカードを含んでもよい。ドングルの第１無線送信機／受信機と、無線ネットワークと、大型タッチスクリーンの第２無線送信機／受信機とは予めペアリングされているため、ユーザコンピュータ装置の所有者は、該ユーザコンピュータ装置でネットワーク構成を行う必要がないため、ユーザコンピュータ装置のシームレス及び安全な通信を実現することができる。符号化されたメディアデータが受信された場合、大型タッチスクリーンに関連付けられたプロセッサは、圧縮されたビデオデータ及び圧縮されたオーディオデータを画面での表示に適するフォーマットに変換できる復号プログラムを実行してもよい。そして、大型タッチスクリーンは、ビデオデータ及びオーディオデータから再構築されたメディアコンテンツを大型タッチスクリーンに表示してもよい。これによって、ユーザコンピュータ装置のユーザは、ユーザコンピュータ装置に専用プログラムをアップロード又はインストールすることなく、自分のユーザコンピュータ装置から大型タッチスクリーンにメディアコンテンツを安全に共有することができる。ユーザが行う必要があるのは、ドングルをユーザコンピュータ装置のＵＳＢ−Ｃポートに差し込み、ドングルをアクティブにすることだけである。本開示の態様は、ユーザの負担を大幅に軽減し、ユーザコンピュータ装置に専用プログラムをインストールする必要をなくすことにより、ユーザのコンピュータ装置の影響を回避することができる。
【００１０】
図１は本開示の態様に係る処理装置から大型タッチスクリーンにメディアコンテンツを送信するためのシステム１００を示す図である。図１に示すように、システム１００は、処理装置１０２、ドングル１０４、及び大型タッチスクリーン１０６を含んでもよい。処理装置１０２は、ユーザにより使用される適切なコンピュータ装置であってもよい。処理装置１０２は、例えばパーソナルコンピュータ又はスマートフォンなどのモバイル装置を含んでもよい。ユーザは、自分の処理装置１０２を会議又は教室に持ち込んで、メディアコンテンツ１１０を大型タッチスクリーン１０６に提示してもよい。１つの実施形態では、処理装置１０２は、画面（図示せず）、ハードウェアプロセッサ（図示せず）、メディアコンテンツ１１０を記憶するための記憶装置１０８、及び例えばモニタなどの周辺装置に接続するためのＵＳＢ−Ｃポート１１２を含んでもよい。ハードウェアプロセッサは、処理装置１０２の動作を管理し、周辺装置と通信するためのドライバを提供するオペレーティングシステムを実行してもよい。記憶装置１０８は、フラッシュメモリ装置、ハードディスク、又は処理装置１０２によりアクセス可能なネットワーク記憶部であってもよい。メディアコンテンツ１１０は、ＰｏｗｅｒＰｏｉｎｔ（登録商標）プレゼンテーション（ＰＰＴファイル）、ビデオクリップ、又はポータブルドキュメントフォーマット（ｐｄｆ）内のスライスのスタックであってもよい。ハードウェアプロセッサは、メディアコンテンツを処理装置１０２の画面での表示に適した画像バッファに記憶された画像データに変換できるアプリケーションプログラム（Ｍｉｃｒｏｓｏｆｔ  ＰｏｗｅｒＰｏｉｎｔなど）を実行してもよい。
【００１１】
処理装置１０２は、周辺装置との接続のためのポートを含んでもよい。１つの態様では、ポートは、ＵＳＢ−Ｃ仕様をサポートする周辺装置に接続するためのユニバーサルシリアルバス（ＵＳＢ）Ｔｙｐｅ−Ｃ（ＵＳＢ−Ｃと称される）ポート１１２であってもよい。ＵＳＢは、ＵＳＢ  ２．０、ＵＳＢ  ３．０、又はＴｙｐｅ−Ｃ仕様をサポートする任意のＵＳＢ標準である。ＵＳＢ−Ｃポート１１２は、ＵＳＢ−Ｃプロトコルに従って指定された２４個の物理的なピンを含んでもよい。
【００１２】
図２は例示的な２４ピンのＵＳＢ−Ｃポート２００を示す図である。図２に示すように、ＵＳＢ−Ｃポート２００は２４本のピンを含んでもよく、該２４本のピンは回転対称なピンの２つの平行線を含む。１番目の線はピンＡ１〜Ａ１２として示される１２本のピンを含み、２番目の線はＢ１〜Ｂ１２として示される１２本のピンを含み、これによって双方向プラグインをサポートする。ピンは、グランドリターンＧＮＤ（Ａ１、Ａ１２、Ｂ１２、Ｂ１）、第１高速度（ＳｕｐｅｒＳｐｅｅｄ）差動ペアＴＸ＋／ＴＸ−（Ａ２／Ａ３、Ｂ１１／Ｂ１０）、バス電力ＶＢＵＳ（Ａ４、Ａ９、Ｂ９、Ｂ４）、構成チャネルＣＣ１、ＣＣ２（Ａ５、Ｂ５）、ＵＳＢ２．０差動ペアＤｐ１、Ｄｎ１（Ａ６／Ａ７、Ｂ７／Ｂ６）、第２バスＳＢＵ（Ａ８、Ｂ８）、及び第２高速度（ＳｕｐｅｒＳｐｅｅｄ）差動ペアＲＸ−／ＲＸ＋（Ａ１０／Ａ１１、Ｂ３／Ｂ２）を含んでもよい。
【００１３】
ＵＳＢ−Ｃの幾つかのバージョンでは、ＤｉｓｐｌａｙＰｏｒｔ（ＤＰ）モードを含む異なるモードをサポートしてもよい。ＤｉｓｐｌａｙＰｏｒｔモードは、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）により設定されたデジタルディスプレイインターフェイス標準である。ＤｉｓｐｌａｙＰｏｒｔモードは主にＵＳＢ−Ｃポートのビデオソースからディスプレイ装置への接続をサポートする。ＤｉｓｐｌａｙＰｏｒｔモードでは、ＵＳＢ−Ｃインターフェイスは、オーディオ、ＵＳＢ、及び他の形式のデータを表示装置に送信することができる。本明細では、ビデオソースは、処理装置１０２のビデオフレームバッファ内の画像データから取得されてもよい。ビデオフレームバッファは、処理装置１０２に接続された画面に表示される画像を記憶するタイプのメモリである。ドングル１０４は、処理装置１０２の表示装置として機能する。ＤｉｓｐｌａｙＰｏｒｔモードでは、ＵＳＢ−Ｃポートは、パケット化されたデータ（パケットデータ又はパケットとも称される）の送信に依存し、該送信では、コンテンツデータの小部分（ｓｍａｌｌ  ｃｈｕｎｋ）を含む小さなデータパケットは送信元から送信先に送信される。メディアコンテンツデータを同期するためのクロック信号は、パケットデータストリームに埋め込まれる。ＤｉｓｐｌａｙＰｏｒｔモードでは、ＵＳＢ−Ｃポートインターフェイスは、１つ又は２つの差動ペア（Ａ２／Ａ３、Ａ１０／Ａ１１、又はＢ１１／Ｂ１０、Ｂ３／Ｂ２）を用いてＤＰビデオ／オーディオデータパケットを送信してもよい。１つの態様では、周辺装置（例えばドングル１０４）は、構成チャネルピンＣＣ１、ＣＣ２（Ａ５、Ｂ５）を用いて制御信号を処理装置１０２に送信してもよい。制御信号は、ビデオ／オーディオデータパケットを送信するために１つ又は２つの差動ペアをＤｉｓｐｌａｙＰｏｒｔモードで動作させるように設定してもよく、これによって、周辺装置は処理装置１０２に既にインストールされたビデオ／オーディオドライバ（例えば既に予めインストールされたオペレーティングシステムと共に予めインストールされたソフトウェア）を用いて処理装置１０２と通信することができる。ＤｉｓｐｌａｙＰｏｒｔデータパケットで搬送されるビデオ／オーディオデータは圧縮されないため、復号せずに表示することができる。これによって、ＵＳＢ−Ｃポートの１つ又は２つの差動ペアを用いて、処理装置１０２の画面データを送信することができる。
【００１４】
バス電力ＶＢＵＳピン（Ａ４、Ａ９、Ｂ９、Ｂ４）は、処理装置１０２から周辺装置（ドングル１０４）への電力供給を提供してもよい。従って、処理装置１０２は、ＶＢＵＳピンを用いて周辺装置に電力信号を供給してもよい。周辺装置は、独立した電源を必要とせずに動作することができる。ＵＳＢ  ２．０差動ペアＤｐ１、Ｄｎ１（Ａ６／Ａ７、Ｂ７／Ｂ６）は、他のタイプのデータ情報を送信してもよく、例えば本開示に説明したように大型タッチスクリーン１０６により取り込まれたタッチジェスチャーデータを送信してもよい。
【００１５】
図１に示すように、ドングル１０４は、対応するＵＳＢ―Ｃポート１１４、信号変換器１１６、ハードウェアプロセッサ１１８、及び無線送信機／受信機１２０（例えばＷｉＦｉ送信機／受信機）を含んでもよい。ＵＳＢ−Ｃポート１１４は、一体化部品として、処理装置１０２とドングル１０４との間の有線接続リンクを提供するケーブルを含んでもよい。ケーブルの第１端部において、ＵＳＢ−Ｃポート１１４は、処理装置１０２のＵＳＢ−Ｃポート１１２のピンにマッチしたボード間（ｂｏａｒｄ  ｔｏ  ｂｏａｒｄ）コネクタを含んでもよい。ＵＳＢ−ＣコネクタがＵＳＢ−Ｃポート１１２に差し込まれると、ケーブルは処理装置１０２のＵＳＢ−Ｃポート１１２を、有線データ通信リンクを提供するためのＵＳＢ−Ｃポート１１４に接続してもよい。データチャネルの２つ（又は４つ）の差動ペア及びバス電力ピンを介して、処理装置１０２はＤｉｓｐｌａｙＰｏｒｔデータパケット及び電力信号を処理装置１０２からドングル１０４に送信してもよい。さらに、構成制御及びＵＳＢ２．０差動ペアを介して、ドングル１０４は、ハードウェアプロセッサ１１８により生成された制御信号及び大型タッチスクリーン１０６により取り込まれたタッチジェスチャーデータを処理装置１０２に送信してもよい。ドングル１０４は、制御信号を用いて、ＵＳＢ−Ｃポート１１２をＤｉｓｐｌａｙＰｏｒｔモードで動作させるように設定するために処理装置１０２に要求してもよい。
【００１６】
信号変換器１１６は論理回路を含んでもよく、該論理回路は、ＵＳＢ―Ｃポート１１４の差動ペアからＤｉｓｐｌａｙＰｏｒｔデータを受信し、ＤｉｓｐｌａｙＰｏｒｔデータをさらなる処理に適したフォーマットのビデオストリーム及びオーディオストリームに変換してもよい。ＤｉｓｐｌａｙＰｏｒｔデータは、圧縮されていない生のビデオ／オーディオデータのパケットを含んでもよい。例えば、ビデオデータは、ピクセルのラスタ画像（ｒａｓｔｅｒ  ｉｍａｇｅ）を含んでもよく、各ピクセルは、その輝度（Ｙ）及びクロミナンス（Ｕ、Ｖ）値により表される。オーディオデータは、パルスコード変調（ＰＣＭ）フォーマットのオーディオデータを含んでもよい。クロック信号は、パケットデータのストリームに埋め込まれてもよい。ビデオデータ及びオーディオデータの両方を非圧縮フォーマットにしてもよい。
【００１７】
ＤｉｓｐｌａｙＰｏｒｔデータが受信された場合、信号変換器１１６は、ＤＰデータパケットから生ビデオデータを抽出し、生ビデオデータを第１ビデオフォーマットのビデオストリームに再フォーマットし、ＤＰデータパケットから生オーディオデータを抽出し、生オーディオデータを第１オーディオフォーマットのオーディオストリームに再フォーマットしてもよい。ここで、第１ビデオフォーマット及び第１オーディオフォーマットは、プロセッサと周辺装置との間でビデオ／オーディオデータをインターフェイスするように設計されてもよい。１つの態様では、信号変換器１１６は、生ビデオデータをＭＩＰＩ（Ｍｏｂｉｌ  Ｉｎｄｕｓｔｒｙ  Ｐｒｏｃｅｓｓｏｒ  Ｉｎｔｅｒｆａｃｅ）ビデオフォーマットに再フォーマットし、生オーディオデータをＩ２Ｓ（Ｉｎｔｅｒ−ＩＣ  Ｓｏｕｎｄ）オーディオフォーマットに再フォーマットしてもよい。別の態様では、信号変換器１１６は、２つの変換回路を含んでもよい。第１変換回路は、生ビデオデータ及び生オーディオデータを高精細マルチメディアインターフェイス（ＨＤＭＩ（登録商標））メディアフォーマットに変換してもよい。第２変換回路は、ＨＤＭＩ（登録商標）データを別のＨＤＴＶ規格（例えば国際電気通信連合のＢＴ．１１２０／ＢＴ．６５６）にさらに変換してもよい。このような２回でフォーマット変換されたメディアデータは、プロセッサ１１８に提供されてもよい。
【００１８】
信号変換器１１６は、ビデオストリーム及びオーディオストリームをプロセッサ１１８にさらに出力してもよく、ここで、プロセッサ１１８は、無線ネットワークを介して大型タッチスクリーンに送信するためにビデオストリーム及びオーディオストリームを符号化して圧縮するエンコーダ回路を含んでもよい。１つの態様では、プロセッサ１１８は、高度なＲＩＳＣマシン（ＡＲＭプロセッサとも称される）により開発された縮小命令セットコンピュータ（ＲＩＳＣ）アーキテクチャに基づく中央処理装置（ＣＰＵ）であってもよい。ＡＲＭプロセッサは、信号変換器１１６からビデオストリーム及びオーディオストリームを受信するための画像信号処理（ＩＳＰ）ピンを含んでもよい。ビデオストリーム及びオーディオストリームが受信された場合、プロセッサ１１８は、ビデオ圧縮及びオーディオ圧縮を実行するためにエンコーダを実行してもよい。１つの態様では、プロセッサ１１８は、Ｈ．２６４／Ｈ．２６５ビデオ圧縮を実行して、圧縮されたビデオストリームを生成し、（例えばＯＰＵＳ又はＭＰ３に基づく）オーディオ圧縮を実行して、クロック信号を介してビデオストリームに同期される圧縮されたオーディオストリームを生成してもよい。圧縮されたビデオストリーム及び圧縮されたオーディオストリームの両方は、圧縮前の対応するビデオストリームとオーディオストリームよりも遥かに小さくなる。従って、圧縮されたビデオストリーム及び圧縮されたオーディオストリームは、データ送信用の制限された帯域幅を有する無線ネットワークを介した送信に適している。
【００１９】
無線送信機／受信機１２０は、圧縮されたビデオストリーム及び圧縮されたオーディオストリームを受信し、無線ネットワークを介して圧縮されたビデオストリーム及び圧縮されたオーディオストリームを送信する無線通信インターフェイスであってもよい。１つの態様では、無線送信機／受信機１２０は、圧縮されたビデオストリーム及び圧縮されたオーディオストリームをデータパケットにパッケージ化（パッケージング）し、データパケットをＷｉＦｉ通信ネットワークを介して大型タッチスクリーン１０６に送信する論理回路を含んでもよい。
【００２０】
大型タッチスクリーン１０６は、メディアコンテンツ１１０を表示するためのスクリーン（例えばＬＥＤスクリーン）を含んでもよく、ここで、ディスプレイは、処理装置１０２のスクリーンディスプレイ（画面表示）をミラーリングしてもよい。１つの態様では、タッチスクリーンに加えて、大型フォーマットは、無線送信機／受信機１２２及びプロセッサ１２４を含んでもよく、又はそれらに関連付けられてもよい。無線送信機／受信機１２２は、無線ネットワークを介して、ドングル１０４の無線送信機／受信機１２０により送信されたデータパケットを受信してもよい。さらに、無線送信機／受信機１２２は、データパケットをアンパッケージ化して、圧縮されたビデオストリーム及び圧縮されたオーディオストリームを再構築してもよい。プロセッサ１２４は、圧縮されたビデオストリームから非圧縮ビデオストリームを復元し、圧縮オーディオストリームから非圧縮オーディオストリームを復元するデコーダ回路を含んでもよい。プロセッサ１２４は、ビデオストリーム及びオーディオストリームをタッチスクリーンにさらに提示させてもよい。従って、本開示の態様は、ドングル１０４から専用プログラムをアップロードして処理装置１０２に専用プログラムをインストールする必要がなく、処理装置１０２で利用可能なメディアコンテンツ１１０を大型タッチスクリーン１０６に送信することができる技術的解決策を提供する。これによって、処理装置１０２のユーザは、専用プログラムをインストールすることによる不便さ及び安全性の懸念から免れることができる。さらに、メディアコンテンツ１１０の大型タッチスクリーン１０６への送信は、処理装置１０２のリソースを消費しない。
【００２１】
１つの態様では、ドングル１０４は、メディアコンテンツ１１０の大型タッチスクリーン１０６への送信を開始する時間を制御するアクチュエータ１２６をさらに含んでもよい。アクチュエータ１２６は、例えば、スイッチ装置に接続されているプッシュボタンなどの物理的な入力装置であってもよい。アクチュエータ１２６をアクティブ化する前に、ドングル１０４は、処理装置１０２から受信されたＤｉｓｐｌａｙＰｏｒｔデータパケットを破棄してもよく、これによって、ドングル１０４上のメディアデータの不要な符号化及び記憶を減らすことができる。アクチュエータ１２６のアクティブ化の指示が受信された（例えばプッシュボタンが押下された）場合、ドングル１０４は、ＤｉｓｐｌａｙＰｏｒｔデータパケットをフォーマット変換されたビデオとオーディオデータに変換し、ビデオ及びオーディオデータを符号化して圧縮し、圧縮されたビデオ及びオーディオデータを大型タッチスクリーン１０６に送信することを開始してもよい。
【００２２】
大型タッチスクリーン１０６は、タッチスクリーン１０６とのユーザインタラクションを検出し得るフィードバック装置１２８をさらに含んでもよい。フィードバック装置１２８は、ポインティングオブジェクトのジェスチャーを検出し得る赤外線センサ又は容量センサであってもよい。例えば、タッチスクリーン１０６のフィードバック装置１２８は、スクリーン上で行われたユーザのジェスチャーを検出してもよい。ジェスチャーは、座標系の座標で表されるポイントを指向する１本の指、１本の指でクリックするタップ、２本の指でのタップ、画面上で１本の指のスワイプ、２本の指でのズームイン又はズームアウトを含んでもよい。他のタイプのフィードバック装置１２８は、大型タッチスクリーン１０６に関連する入力装置としてキーボード及び／又はマウスを含んでもよい。フィードバック装置１２８は、大型タッチスクリーン１０６とのユーザインタラクションを取り込んでもよく、ここで、インタラクションはタッチポイントの座標、及びそれらに対応するタイムスタンプを含んでもよい。プロセッサ１２４は、インタラクションに関連するタッチデータを取り込んでもよい。タッチデータは、タッチスクリーン上のタッチポイントの座標を含んでもよい。プロセッサ１２４は、無線送信機／受信機１２２を用いてタッチデータをドングル１０４の無線送信機／受信機１２０にさらに送信してもよい。
【００２３】
無線送信機／受信機１２０からタッチデータが受信された場合、プロセッサ１１８は、エミュレータプログラムを実行して、ＨＩＤ装置をシミュレートして、タッチデータをＨＩＤ（Ｈｕｍａｎ  Ｉｎｔｅｒｆａｃｅ  Ｄｅｖｉｃｅ：ヒューマン・インターフェイス・装置）フォーマットに変換してもよい。プロセッサ１１８は、ＵＳＢ−Ｃポート１１４のＵＳＢ２．０差動ペアを用いてＨＩＤデータを処理装置１０２に送信してもよい。処理装置１０２のプロセッサは、ＨＩＤデータに基づいて大型タッチスクリーン１０６とのユーザインタラクションをシミュレートして提示してもよい。例えば、大型タッチスクリーン１０６とのマウスインタラクションは、ＨＩＤデータとして取り込まれてドングル１０４を介して処理装置１０２に送信されてもよい。処理装置１０２のプロセッサは、マウス動作をシミュレートし、シミュレートされたマウス動作を処理装置１０２の画面に提示してもよい。従って、本開示の態様は、双方向の画面共有、及び処理装置１０２と大型タッチスクリーン１０６との間のインタラクションを提供することができる。
【００２４】
図３は本開示の態様に係るメディアコンテンツを大型タッチスクリーンに送信するためのドングルに態様されるソフトウェアプラットフォーム３００を示す図である。図３に示すように、ソフトウェアプラットフォーム３００は、ドングルのＵＳＢ−ＣポートからＵＳＢ−Ｃ信号３０２を受信してもよい。ＵＳＢ−Ｃ信号３０２は、例えばパーソナルコンピュータなどのユーザコンピュータ装置からのメディアコンテンツのビデオ及びオーディオデータを搬送するＤｉｓｐｌａｙＰｏｒｔデータパケットを含んでもよい。ドングル上のアクチュエータにより生成されるオン／オフ（ＯＮ／ＯＦＦ）制御信号３１８は、大型タッチスクリーンへのメディアコンテンツの送信を開始するか否かを制御してもよい。アクチュエータを作動させる前に、制御信号３１８はオフ状態を示してもよい。ドングルにより受信されたＤｉｓｐｌａｙＰｏｒｔデータパケットは、それ以上処理せずに破棄されてもよい。アクチュエータが作動し、且つ制御信号３１８がオンを示していると検出された場合、ドングルの信号変換回路は、生ビデオデータ（例えばＹＵＶ画像）及び生オーディオデータ（例えばＰＣＭオーディオデータ）をＤｉｓｐｌａｙＰｏｒｔデータパケットから抽出してもよい。さらに、信号変換回路は、生ビデオデータをフォーマット変換されたビデオストリームに変換することができるビデオストリーム生成器３０４を実現してもよい。１つの態様では、フォーマット変換されたビデオストリームはＭＩＰＩフォーマットである。信号変換回路は、生オーディオデータをフォーマット変換されたオーディオストリームに変換することができるオーディオストリーム生成器３０６を実現してもよい。１つの態様では、フォーマット変換されたオーディオストリームは、Ｉ２Ｓフォーマットである。
【００２５】
フォーマット変換されたビデオストリーム及びオーディオストリームは、符号化及び圧縮のためにハードウェアプロセッサ（例えばＡＲＭプロセッサ）に提供されてもよい。ハードウェアプロセッサは、入力の非圧縮ビデオストリームを出力の圧縮されたビデオストリーム（Ｈ．２６４／Ｈ．２６５ストリーム）に符号化できるビデオエンコーダ３１０（例えばＨ．２６４／Ｈ．２６５エンコーダ）を実現してもよい。さらに、ハードウェアプロセッサは、入力の非圧縮オーディオストリームを出力の圧縮されたオーディオストリーム（ＯＰＵＳストリーム又はＭＰ３ストリーム）に符号化できるオーディオエンコーダ３１２（例えばＯＰＵＳエンコーダ又はＭＰ３エンコーダ）を実現してもよい。圧縮されたビデオ及びオーディオストリームは、非圧縮ストリームよりも遥かに小さいため、無線ネットワークを介して大型タッチスクリーンに送信するのに適している。
【００２６】
ハードウェアプロセッサは、圧縮されたビデオ及びオーディオストリームをインターネットプロトコル（ＩＰ）ベースのネットワークを介した送信に適したデータパケットにパッケージ化するための画面伝送アプリケーション３１４をさらに実現してもよい。ハードウェアプロセッサは、画面伝送アプリケーション３１４を実行して、データパケットを画面伝送インターフェイス３１６に送信してもよい。１つの態様では、画面伝送インターフェイス３１６は、ＷｉＦｉネットワークにおいてデータパケットを送信する無線送信カード及びアンテナを含んでもよい。データパケットは、ＷｉＦｉネットワークを介して大型タッチスクリーンに関連する送信ソケット（ＷｉＦｉ）３２６に送信され得るビデオデータパケット（ビデオパケット）３２０及びオーディオデータパケット（オーディオパケット）３２２を含んでもよい。大型タッチスクリーンは、送信ソケット（ＷｉＦｉ）３２６により受信されたビデオデータパケット３２０及びオーディオデータパケット３２２からビデオ及びオーディオストリームを復元し、画面上にビデオストリーム及びオーディオストリームを表示してもよい。
【００２７】
大型タッチスクリーンは、タッチスクリーンとのユーザインタラクションを取り込むためのフィードバック装置を含んでもよく、ここで、インタラクションは、タッチポイントの座標及びそれらの対応するタイムスタンプを含んでもよい。大型タッチスクリーンに関連するプロセッサは、タッチポイントの座標を含むタッチデータを取り込んでもよい。プロセッサは、送信ソケット（ＷｉＦｉ）３２６を用いてタッチデータ３２４を画面伝送インターフェイス３１６に送信してもよい。画面伝送インターフェイス３１６は、タッチデータ３２４から画面タッチデータ３０８を再構築し、ドングルのＵＳＢ―Ｃポートを介して画面タッチデータ３０８をユーザ処理装置に送信してもよい。ここで、ユーザ処理装置のプロセッサは、画面タッチデータ３０８に基づいてユーザインタラクションをシミュレートしてもよい。
【００２８】
図４は本開示の幾つかの態様に係るメディアコンテンツを大型タッチスクリーンに送信するためのドングルを操作する方法４００を示すフローチャートである。方法４００は、ハードウェア（例えば、回路、専用論理、プログラム可能な論理、マイクロコードなど）、ソフトウェア（例えば、ハードウェアシミュレーションを実行するために処理装置で実行される命令）、又はそれらの組み合わせを含む処理論理により実行されてもよい。
【００２９】
説明の便宜上、方法は一連の動作として図示及び説明されている。しかし、この開示による動作は、様々な順序で、及び／又は同時に、及び本明細書で提示及び説明されていない他の動作と共に行われてもよい。さらに、開示された主題による方法を実施するために、例示されているすべての動作が必要とされるわけではない。さらに、これらのメソッドは、状態図又はイベントを介して、一連の相互に関連する状態として表すこともできる。さらに、本明細書に開示される方法は、そのような方法をコンピュータ装置に移送及び転送することを容易にするために製造品に格納することができることを理解されたい。本明細書で使用される製品という用語は、任意のコンピュータ読み取り可能な装置又は記憶媒体からアクセス可能なコンピュータプログラムを含むことが意図されている。１つの態様では、方法は、図１に示すように、ドングル１０４のハードウェアプロセッサ１１８により実行されてもよい。
【００３０】
図４に示すように、４０２において、ドングルがＵＳＢ−Ｃポートを介してユーザコンピュータ装置（例えばパーソナルコンピュータ又はスマートフォン）に接続されている場合、ドングルのハードウェアプロセッサは、構成チャネル（例えばＵＳＢ−ＣポートのＣＣピン）を介してユーザコンピュータ装置に要求を送信してもよい。この要求は、ＵＳＢ−Ｃポートの差動データチャネルのペアをＤｉｓｐｌａｙＰｏｒｔモードで動作させるように構成するようユーザコンピュータ装置に指示する。
【００３１】
４０４において、ドングルに関連付けられたアクチュエータが有効にされた場合、ハードウェアプロセッサは、差分データチャネルのペアを介して、ユーザコンピュータ装置に提示されたメディアコンテンツに関連付けられたメディアデータを搬送するＤｉｓｐｌａｙＰｏｒｔデータパケットを受信してもよい。このメディアデータは、生のビデオ又はオーディオデータとフォーマット変換されていないデータを含んでもよい。
【００３２】
４０６において、信号変換回路は、メディアデータを、さらなる処理に適するフォーマット変換されたメディアデータ（例えばＭＩＰＩビデオフォーマット又はＩ２Ｓオーディオフォーマット）に変換してもよい。ここで、フォーマット変換されたメディアデータも圧縮されていない。
【００３３】
４０８において、ハードウェアプロセッサは、符号化スキーム（例えばＨ．２６４又はＨ．２６５）に従って、フォーマット変換されたメディアデータを、無線送信に適する圧縮されたメディアデータストリームに符号化してもよい。
【００３４】
４１０において、ハードウェアプロセッサは、圧縮されたメディアデータストリームを、無線ネットワーク（例えばＷｉＦｉネットワーク）を介した送信に適する無線ネットワークデータパケットにさらにパッケージ化してもよい。
【００３５】
４１２において、ハードウェアプロセッサは、無線ネットワークを介して、無線ネットワークデータパケットを大型タッチスクリーンに関連付けられた無線受信機に送信してもよい。ここで、大型タッチスクリーンに関連付けられた第２プロセッサは、無線ネットワークデータパケットから圧縮されたビデオストリームを復元し、圧縮されたビデオストリームからフォーマット変換されたビデオストリームを復元し、ビデオストリームをメディアコンテンツの一部としてタッチスクリーンに提示してもよい。
【００３６】
メディアコンテンツが大型タッチスクリーンに提示されている間、ユーザ（例えばコンテンツのプレゼンター）は、フィードバック装置を用いてコンテンツとのインタラクションを行ってもよい。フィードバック装置は、タッチスクリーンのタッチセンサ、又は例えばコンピュータのマウス又はキーボードなどの入力装置を含んでもよい。フィードバック装置は、ユーザインタラクションに関連するパラメータを検出してもよい。パラメータは、タッチスクリーン上のユーザインタラクションの座標及びこれらのインタラクションに関連付けられたタイムスタンプを含んでもよい。第２プロセッサは、タッチデータを取り込み、これらのタッチデータを無線ネットワークを介してドングルに送信してもよい。
【００３７】
４１４において、大型タッチスクリーンとのユーザインタラクションを表すタッチデータパケット（及びタッチデータ）が受信された場合、ハードウェアプロセッサは、ＵＳＢ−Ｃポートの差動データチャネルの第２ペア（例えばＤｎ１／Ｄｐ１ペア）を介してタッチデータをユーザコンピュータ装置に送信してもよい。
【００３８】
ユーザコンピュータ装置では、ユーザコンピュータ装置のプロセッサは、タッチデータを用いてユーザインタラクションをシミュレートしてユーザコンピュータ装置の画面上に提示することで、ユーザコンピュータ装置と大型タッチスクリーンとの間の完全な双方向のミラープレゼンテーション（提示）を実現することができる。本開示の態様は、ユーザコンピュータ装置に専用プログラムをインストールすることなく、完全な双方向ミラープレゼンテーションを実現することができるため、ユーザがユーザコンピュータ装置を構成する時間を費やす必要がなくなり、ユーザコンピュータのリソースを殆ど消費しない。
【００３９】
１つの実施形態では、好ましくは、ドングルは、機能を改善するための追加的なコンポーネントをさらに含んでもよい。図５は本開示の他の態様に係るドングル５００を示す図である。ドングル５００は、図１に示すように処理装置１０２に接続されてもよい。図５に示すように、ドングル５００は、図１に示すようにドングル１０４のそれらの構成要素を含み、図１を参照しながら説明したタスクを実行してもよい。ドングル５００は、記憶装置（例えばフラッシュ（Ｆｌａｓｈ）記憶部）５０２、電力管理部（ＰＭＵ：Ｐｏｗｅｒ  Ｍａｎａｇｅｍｅｎｔ  Ｕｎｉｔ）５０４、及びＤＣ−ＤＣコンバータ及び／又は低損失レギュレータ（ＬＤＯ：Ｌｏｗ  Ｄｒｏｐｏｕｔ  Ｒｅｇｕｌａｔｏｒ）を含む電源回路５０６をさらに含んでもよい。
【００４０】
記憶装置５０２は、実行可能なプログラムを記憶するために用いられてもよい。実行可能なプログラムは、ドングル５００に接続された処理装置１０２にアップロードされてもよい。例えば、実行可能なプログラムは、記憶装置１０８にアップロードしてもよく、処理装置１０２は、アップロードされた実行可能なプログラムを実行するハードウェアプロセッサを含んでもよい。１つの態様では、処理装置１０２のハードウェアプロセッサは、処理装置１０２に関連する画面上に提示されたメディアデータをＵＳＢ２．０データに符号化するプログラムを実行し、ＵＳＢ−Ｃポート１１２の対応するピンを介して圧縮されたメディアデータを含むＵＳＢ２．０データをドングル５００に出力してもよい。これによって、無線送信機／受信機１２０を使用した無線送信のために、プロセッサ１１８のデータピンにＵＳＢ２．０データを直接送信することができる（信号変換器１１６をバイパスする）。これは、後述するように、処理装置がＵＳＢ２．０インターフェイスのみをサポートする場合は便利である。
【００４１】
実行可能なプログラムはドングル５００の記憶装置５０２に記憶されるため、処理装置１０２が実行可能なプログラムを取得することは便利である。具体的には、プロセッサ１１８は、起動されると、記憶装置５０２から実行可能なプログラムを取得し、実行可能なプログラムをＵＳＢ−Ｃポート１１４のＵＳＢ２．０差動ペアを介して処理装置１０２に送信してもよい。図１に示すように、プロセッサ１１８は、ＵＳＢ２．０データピンから受信されたメディアデータを符号化し、無線ネットワークを介して大型タッチスクリーンにさらに送信するために、符号化されたメディアデータを無線送信機／受信機１２０に送信するエンコーダでプログラムされてもよい。
【００４２】
なお、ＵＳＢ−Ｃ１１４に接続された処理装置１０２のインターフェイスは、図１に示すようにＵＳＢ−Ｃポート１１２などのＵＳＢ−Ｃタイプのインターフェイスであってもよい。或いは、処理装置１０２のインターフェイスは、ＵＳＢ２．０又はＵＳＢ３．０のピンのみを含んでもよい。インターフェイスがＵＳＢ−Ｃポートの場合、ドングル５００を処理装置１０２に直接接続し、差動データチャネルのペアを用いてＤｉｓｐｌａｙＰｏｒｔデータパケットを受信し、ＵＳＢ２．０ピンを用いて処理装置１０２とドングル５００との間で他のデータを送信してもよい。この場合は、実行可能なプログラムを処理装置１０２にアップロードする必要がない。処理装置１０２のインターフェイスがＵＳＢ−Ｃポートをサポートせず、ＵＳＢ２．０又はＵＳＢ３．０ポートのみをサポートする場合、ＵＳＢ−Ｃポート１１４は、ＵＳＢ−ＣとＵＳＢ２．０（又はＵＳＢ３．０）アダプタに接続されてもよく、その結果、ドングル５００は依然として処理装置１０２に接続されてもよい。この場合は、処理装置１０２は、ドングル５００の記憶装置５０２から実行可能なプログラムをダウンロードしてもよい。処理装置内のハードウェアプロセッサは、実行可能なプログラムを実行して、処理装置１０２に関連する画面上に提示されるメディアデータをＵＳＢ２．０（又はＵＳＢ３．０）データフォーマットに符号化してもよい。処理装置１０２は、ＵＳＢ２．０（又はＵＳＢ
３．０）データをドングル５００にさらに送信してもよい。従って、ドングル５００は、ＵＳＢ−Ｃポートを有する処理装置及びＵＳＢ２．０／３．０ポートを有する処理装置の両方と互換性が持つ。
【００４３】
１つの好ましい態様では、記憶装置５０２は、ハードドライブと同様の電流供給がなく、長期間でデータを記憶及び保存することができる不揮発性の記憶装置であるフラッシュ記憶装置であってもよい。従って、フラッシュ記憶装置は、ドングル５００などのモバイル装置が実行可能なプログラムを長期間で保存するのに非常に適している。
【００４４】
図２に示すように、タイプＣポートは、プロセッサ１１８の電力供給ピンに接続してプロセッサ１１８に電力を供給することができる電力ピンＶｂｕｓをさらに含んでもよい。従ってドングル５００は、ドングル５００のサイズをさらに縮小することができる電源回路を必要とせず、ドングル５００の機動性を向上させることができる。
【００４５】
１つの態様では、プロセッサ１１８は、Ｖｂｕｓが特定の電圧（例えば５Ｖ）のみを提供してもよいし、異なる電圧の電力を受信するために複数の電源ピンを含んでもよい。ドングル５００の態様は、Ｖｂｕｓ（５ｖ）を複数の電圧（例えば、１．５Ｖ、１．８Ｖ、３．３Ｖ、又は１Ｖ）に変換することができる電力管理部５０４をさらに含んでもよい。電力管理部は、モバイル装置用に設計された高集積回路の電力ソリューションであってもよい。電力管理部５０４は、単一の密閉ユニットで幾つかの個別の電力ユニットの機能を実行してもよく、これによって、電力変換における高効率、低電力損失、及びより少ない構成要素によるコンパクトサイズを達成することができる。電力管理部５０４は、ＵＳＢ−Ｃポート１１４とプロセッサ１１８との間に配置されてもよく、電力管理部５０４の出力は、それに対応してプロセッサ１１８の電源ピンに接続される。プロセッサ１１８が異なるプログラムを実行して、異なる電力供給及び／又は電力供給の時間的順序付けが必要な場合、電力管理部５０４は、プロセッサ１１８の多様な要件を満たすように、プロセッサ１１８用の電力供給の異なる電圧を生成し、これらの電力供給の時間的順序付けを制御してもよい。
【００４６】
ドングル５００は、ＤＣ−ＤＣ／低損失レギュレータ（ＬＤＯ）５０６をさらに含み、信号変換器１１６のためにＵＳＢ―Ｃポート１１４からのＶｂｕｓを変換してもよい。１つの態様では、該変換は、Ｖｂｕｓの５ｖから信号変換器１１６の電源ピンの３．３ｖへの変換である。
【００４７】
これによって、本開示の態様は、ユーザ装置のＵＳＢ−Ｃポートを介してＤｉｓｐｌａｙＰｏｒｔデータパケットを受信することができるドングルを提供する。ＤｉｓｐｌａｙＰｏｒｔデータパケットは、ユーザコンピュータ装置に提示されるビデオ及びオーディオデータを搬送することができる。従って、さらなる構成なしのユーザ装置は、ドングルを周辺表示装置として扱い、ＤｉｓｐｌａｙＰｏｒｔデータパケットを出力することができる。ドングルは、さらに、ＤｉｓｐｌａｙＰｏｒｔデータパケットを圧縮されたビデオ及びオーディオストリームに変換し、ペアリングされた無線ネットワークを介してビデオ及びオーディオデータを大型表示装置に送信する。ドングルは、さらに、大型表示装置からユーザインタラクションデータを受信し、ユーザインタラクションデータをユーザコンピュータ装置に送り返すこともできる。従って、態様に係る技術的改良案は、ユーザのコンピュータ装置を変更することなく、ユーザのコンピュータ装置と大型表示装置との間の完全な双方向のミラー化された画面伝送を実現することができる。態様は、ユーザコンピュータ装置に専用プログラムがインストールされていないため、ユーザコンピュータ装置のために安全で、且つ簡単な会議環境を提供することができる。
【００４８】
以上の説明では、多くの詳細が述べられている。しかし、この開示の利益を有する当業者には、本開示がこれらの特定の詳細なしで実施され得ることが明らかであろう。幾つかの例では、本開示を不明瞭にしないようにするために、よく知られている構造及び装置は、詳細ではなくブロック図の形で示されている。
【００４９】
詳細な説明の幾つかの部分は、コンピュータメモリ内のデータビットに対する処理のアルゴリズム及び記号表現に関して提示されている。これらのアルゴリズムの説明と表現は、データ処理技術の当業者が自分の仕事の内容を他の当業者に最も効果的に伝えるために使用する手段である。ここのアルゴリズムは、通常、望ましい結果につながる自己矛盾のない一連のステップであると考えられている。ステップは、物理量の物理的な処理を必要とするものである。通常、必ずというわけではありないが、これらの量は、保存、転送、組み合わせ、比較、その他の処理が可能な電気信号又は磁気信号の形式を有する。これらの信号をビット、値、要素、記号、文字、用語、数値などと呼ぶことは、主に一般的な使用の理由から、時々便利であることが証明されている。
【００５０】
なお、これら及び類似の用語の全ては、適切な物理量に関連付けられるべきであり、これらの量に適用される単に便利なラベルである。以下の議論から明らかであると特に明記されていない限り、説明全体を通して、「送信」、「受信」、「決定」、「符号化」、「パッケージ化」、「変更」などの用語は、コンピュータシステム又は同様な電子計算装置の動作及びプロセスを意味し、該動作及びプロセスは、コンピュータシステムのレジスタ及びメモリ内の物理的（例えば電子）量として表されるデータを操作し、コンピュータシステムメモリ若しくはレジスタ、又は他の情報記憶、伝送若しくは表示装置内の物理的量と同様に表される他のデータに変換する。
【００５１】
本開示は、本明細書の動作を実行するための装置にさらに関する。この装置は、必要な目的のために特別に構築されてもよく、又はコンピュータに格納されたコンピュータプログラムにより選択的にアクティブ化又は再構成される汎用コンピュータを含んでもよい。このようなコンピュータプログラムは、フロッピーディスク、光ディスク、ＣＤ−ＲＯＭ、光磁気ディスク、読み取り専用メモリ（ＲＯＭ）、ランダムアクセスメモリ（ＲＡＭ）、ＥＰＲＯＭ、ＥＥＰＲＯＭ、磁気カード若しくは光カード、又は電子命令の格納に適した任意のタイプのメディアなどのコンピュータ読み取り可能な記憶媒体に格納されてもよいが、これらに限定されない。
【００５２】
用語「例」又は「例示的」は、本明細書では、例、事例、又は例示として役立つことを意味するために使用される。本明細書で「例」又は「例示的」として説明される任意の態様又は設計は、他の態様又は設計よりも好ましい又は有利であると必ずしも解釈されるべきではない。むしろ、「例」又は「例示的」という用語の使用は、概念を具体的に提示することを意図している。本出願で使用される「又は」という用語は、排他的な「又は」ではなく、包括的な「又は」を意味することを意図している。即ち、特に明記しない限り、又は文脈から明らかでない限り、「ＸはＡ又はＢを含む」は、自然な包含的置換のいずれかを意味することを意図している。即ち、「ＸにＡが含まれている」、「ＸにはＢが含まれる」、「ＸはＡとＢの両方を含む」、「ＸはＡ又はＢを含む」は、前述のいずれの場合でも満たされる。さらに、本出願及び添付の特許請求の範囲で使用される冠詞「１つ」（「ａ」及び「ａｎ」）は、特に明記しない限り、又は単数形を対象とする文脈から明らかでない限り、「１つ又は複数」を意味すると一般に解釈されるべきである。さらに、「１つの実施形態」又は「１つの実施例」又は「態様」又は「１つの態様」という用語の使用は、そのように説明されない限り、同じ実施形態又は態様を意味することを意図しない。
【００５３】
本明細書を通して「１つの態様」又は「態様」への言及は、実施に関して説明された特定の特徴、構造、又は特性が少なくとも１つの実施に含まれることを意味する。従って、本明細書全体にわたる様々な場所での「１つの態様では」又は「態様では」という句の出現は、必ずしもすべてが同じ態様を指しているわけではない。さらに、「又は」という用語は、排他的な「又は」ではなく、包括的な「又は」を意味することを意図している。
【００５４】
なお、上記の説明は、例示的であり、限定的ではないことが意図される。上記の説明を読んで理解すると、当業者には他の多くの態様が明らかになるであろう。従って、本開示の範囲は、添付の特許請求の範囲を参照して、そのような特許請求の範囲が権利を与えられる等価物の全範囲とともに決定されるべきである。
【図１】
2021520692.tif 000003
【図２】
2021520692.tif 000004
【図３】
2021520692.tif 000005
【図４】
2021520692.tif 000006
【図５】
2021520692.tif 000007
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
メディアコンテンツを搬送するＤｉｓｐｌａｙＰｏｒｔデータパケットを受信するＵＳＢ  Ｔｙｐｅ−Ｃポートであって、前記メディアコンテンツは、ユーザコンピュータ装置で表示されたビデオデータ又はオーディオデータの少なくとも１つを含み、前記ＵＳＢ  Ｔｙｐｅ−Ｃポートは、前記ＤｉｓｐｌａｙＰｏｒｔデータパケットを送信するための第１差動データチャネルペアを含む、ＵＳＢ  Ｔｙｐｅ−Ｃポートと、
前記ＤｉｓｐｌａｙＰｏｒｔデータパケットから前記メディアコンテンツを抽出した後に、前記メディアコンテンツをＭＩＰＩ（Ｍｏｂｉｌ  Ｉｎｄｕｓｔｒｙ  Ｐｒｏｃｅｓｓｏｒ  Ｉｎｔｅｒｆａｃｅ）フォーマットのデータ及び／又はＩ２Ｓ（Ｉｎｔｅｒ−ＩＣ  Ｓｏｕｎｄ）フォーマットのデータに変換し、前記ＭＩＰＩフォーマットのデータ及び／又は前記Ｉ２Ｓフォーマットのデータをハードウェアプロセッサに送信する信号変換回路と、
前記信号変換回路及び前記ＵＳＢ  Ｔｙｐｅ−Ｃポートに通信可能に接続され、前記ＵＳＢ  Ｔｙｐｅ−Ｃポートの構成チャネルを用いて、ＤｉｓｐｌａｙＰｏｒｔモードで動作するように前記ユーザコンピュータ装置の差動データチャネルペアを構成するために前記ユーザコンピュータ装置に要求を送信し、符号化スキームに従って、前記ＭＩＰＩフォーマットのデータ及び／又は前記Ｉ２Ｓフォーマットのデータを圧縮されたメディアデータストリームに圧縮する前記ハードウェアプロセッサと、
前記圧縮されたメディアデータストリームを受信し、無線ネットワークを用いて、前記圧縮されたメディアデータストリームを、前記メディアコンテンツを表示するための大型表示装置に送信する無線送信機／受信機と、を含む、通信装置。
【請求項２】
前記通信装置は、前記ユーザコンピュータ装置を前記大型表示装置に接続するためのドングルであり、
前記ユーザコンピュータ装置は、パーソナルコンピュータ、タブレットコンピュータ、又はスマートフォンのうちの１つであり、
前記大型表示装置は、大型タッチスクリーンである、請求項１に記載の通信装置。
【請求項３】
前記メディアコンテンツから前記ＭＩＰＩフォーマットのデータ及び／又は前記Ｉ２Ｓフォーマットのデータへの変換を開始するためのユーザ起動を受け付ける物理的なアクチュエータ、をさらに含み、
前記ユーザ起動の前に、前記通信装置は、前記ユーザコンピュータ装置から受信された前記ＤｉｓｐｌａｙＰｏｒｔデータパケットを破棄する、請求項１又は２に記載の通信装置。
【請求項４】
前記ＤｉｓｐｌａｙＰｏｒｔモードで動作するように前記ユーザコンピュータ装置の差動データチャネルペアを構成する場合、前記ユーザコンピュータ装置は、前記ユーザコンピュータ装置の記憶部に記憶された前記ＤｉｓｐｌａｙＰｏｒｔデータパケットを前記通信装置に送信する、請求項１乃至３の何れかに記載の通信装置。
【請求項５】
前記圧縮されたメディアデータストリームは、Ｈ．２６５／Ｈ．２６４ビデオストリーム又はＭＰ３オーディオストリームのうちの少なくとも１つを含む、請求項１乃至４の何れかに記載の通信装置。
【請求項６】
前記ハードウェアプロセッサは、前記大型表示装置のタッチスクリーンとのユーザインタラクションに関連するタッチデータを受信し、前記ユーザコンピュータ装置が前記ユーザインタラクションをシミュレートして表示するように、前記ＵＳＢ  Ｔｙｐｅ−Ｃポートの第２差動チャネルペアを用いて前記タッチデータを前記ユーザコンピュータ装置に送信する、請求項１乃至５の何れかに記載の通信装置。
【請求項７】
前記ユーザコンピュータ装置にアップロードされ、前記ユーザコンピュータ装置のプロセッサにより実行される実行可能なプログラムを記憶する記憶装置と、
前記ＵＳＢ  Ｔｙｐｅ−Ｃポートから受信された第１電圧での第１電源を前記ハードウェアプロセッサに供給される第２電圧での１つ以上の第２電源に変換する電力管理部と、をさらに含む、請求項１乃至６の何れかに記載の通信装置。
【請求項８】
ＵＳＢ  Ｔｙｐｅ−Ｃポートを介したユーザコンピュータ装置への接続が識別された場合、ハードウェアプロセッサが前記ＵＳＢ  Ｔｙｐｅ−Ｃポートの構成チャネルを用いて前記ユーザコンピュータ装置に要求を送信するステップであって、前記要求は、ＤｉｓｐｌａｙＰｏｒｔモードで動作するように前記ユーザコンピュータ装置の差動データチャネルペアを構成するために前記ユーザコンピュータ装置に指示する、ステップと、
アクチュエータが有効状態にあると決定された場合、前記ＵＳＢ  Ｔｙｐｅ−Ｃポートの第１差動データチャネルペアを介して、前記ユーザコンピュータ装置に表示されたメディアコンテンツを搬送するＤｉｓｐｌａｙＰｏｒｔデータパケットを受信するステップであって、前記メディアコンテンツは、前記ユーザコンピュータ装置で表示されたビデオデータ又はオーディオデータのうちの少なくとも１つを含む、ステップと、
前記ＤｉｓｐｌａｙＰｏｒｔデータパケットをフォーマット変換されたメディアデータに変換するステップであって、前記フォーマット変換されたメディアデータは、ＭＩＰＩ（Ｍｏｂｉｌ  Ｉｎｄｕｓｔｒｙ  Ｐｒｏｃｅｓｓｏｒ  Ｉｎｔｅｒｆａｃｅ）ビデオデータ又はＩ２Ｓ（Ｉｎｔｅｒ−ＩＣ  Ｓｏｕｎｄ）オーディオデータのうちの少なくとも１つを含む、ステップと、
符号化スキームに従って、前記フォーマット変換されたメディアデータを圧縮されたメディアデータストリームに符号化するステップと、
無線ネットワークを用いて、前記圧縮されたメディアデータストリームを、前記メディアコンテンツを表示するための大型表示装置に送信するステップと、を含む、通信方法。
【請求項９】
前記アクチュエータが無効状態にあると決定された場合、前記ユーザコンピュータ装置から受信された前記ＤｉｓｐｌａｙＰｏｒｔデータパケットを破棄するステップ、をさらに含む、請求項８に記載の通信方法。
【請求項１０】
前記ＤｉｓｐｌａｙＰｏｒｔモードで動作するように前記ユーザコンピュータ装置の差動データチャネルペアが構成された場合、前記ユーザコンピュータ装置は、前記ユーザコンピュータ装置の記憶部に記憶された前記ＤｉｓｐｌａｙＰｏｒｔデータパケットを前記ＵＳＢ  Ｔｙｐｅ−Ｃポートの前記第１差動データチャネルペアに送信する、請求項８又は９に記載の通信方法。
【請求項１１】
前記圧縮されたメディアデータストリームは、Ｈ．２６５／Ｈ．２６４ビデオストリーム又はＭＰ３オーディオストリームのうちの少なくとも１つを含む、請求項８乃至１０の何れかに記載の通信方法。
【請求項１２】
前記大型表示装置のタッチスクリーンとのユーザインタラクションに関連するタッチデータを受信するステップと、
前記ＵＳＢ  Ｔｙｐｅ−Ｃポートの第２差動チャネルペアを介して前記タッチデータを前記ユーザコンピュータ装置に送信するステップと、をさらに含み、
前記タッチデータは、前記タッチスクリーンにおけるタッチポイントの座標を含む、請求項８乃至１１の何れかに記載の通信方法。
【請求項１３】
前記ＵＳＢ  Ｔｙｐｅ−Ｃポートの第２差動データチャネルペアを介してタッチデータが受信された場合、前記ユーザコンピュータ装置で前記大型表示装置のタッチスクリーンとのユーザインタラクションをシミュレートして表示する、請求項８乃至１２の何れかに記載の通信方法。
【請求項１４】
プロセッサ実行可能な命令が記憶されている非一時的なコンピュータ読み取り可能な記憶媒体であって、前記命令を実行する際に、ハードウェアプロセッサは、請求項８乃至１３の何れかに記載の通信方法を行う、記憶媒体。
【請求項１５】
大型表示装置と、
無線ネットワークを介して前記大型表示装置に接続された、請求項１乃至７の何れかに記載の通信装置と、を含み、
前記大型表示装置は、
前記大型表示装置のタッチスクリーンとのユーザインタラクションに関連するパラメータデータを取り込むフィードバック装置と、
前記取り込まれたパラメータデータを前記通信装置に送信する第２無線送信機／受信機と、を含む、通信システム。
【手続補正２】
【補正対象書類名】明細書
【補正対象項目名】０００２
【補正方法】変更
【補正の内容】
【０００２】
会議での人々のコミュニケーションを支援するために、従来技術は多くの技術的ソリューションを提供している。例えば、プレゼンテーションのコンテンツを大画面スクリーンに投影して視聴者と共有し、リモートのインスタントコミュニケーションを介して通信し、書きと描画を可能にする大型（ｌａｒｇｅ−ｆｏｒｍａｔ）表示装置（例えば大型タッチスクリーン）に表示する方法を提案している。該大型表示装置は、対角寸法が特定の長さよりも大きい（例えば３２インチよりも大きい）画面を有する装置を意味する。もう１つの方法では、無線スクリーン送信機を用いてパーソナルコンピュータ（ＰＣ）の画面画像を大型タッチスクリーンに送信する。
[発明の概要]
[発明が解決しようとする課題]
本開示の態様は、画面画像をユーザコンピュータ装置（例えば、パーソナルコンピュータ、タブレット、又はスマートフォン）から大型タッチスクリーンに送信するための通信装置、通信方法、記憶媒体及び通信システムを提供する。
[課題を解決するための手段]
本開示の第１態様では、メディアコンテンツを搬送するＤｉｓｐｌａｙＰｏｒｔデータパケットを受信するＵＳＢ  Ｔｙｐｅ−Ｃポートであって、前記メディアコンテンツは、ユーザコンピュータ装置で表示されたビデオデータ又はオーディオデータの少なくとも１つを含み、前記ＵＳＢ  Ｔｙｐｅ−Ｃポートは、前記ＤｉｓｐｌａｙＰｏｒｔデータパケットを送信するための第１差動データチャネルペアを含む、ＵＳＢ  Ｔｙｐｅ−Ｃポートと、前記ＤｉｓｐｌａｙＰｏｒｔデータパケットから前記メディアコンテンツを抽出した後に、前記メディアコンテンツをＭＩＰＩ（Ｍｏｂｉｌ  Ｉｎｄｕｓｔｒｙ  Ｐｒｏｃｅｓｓｏｒ  Ｉｎｔｅｒｆａｃｅ）フォーマットのデータ及び／又はＩ２Ｓ（Ｉｎｔｅｒ−ＩＣ  Ｓｏｕｎｄ）フォーマットのデータに変換し、前記ＭＩＰＩフォーマットのデータ及び／又は前記Ｉ２Ｓフォーマットのデータをハードウェアプロセッサに送信する信号変換回路と、前記信号変換回路及び前記ＵＳＢ  Ｔｙｐｅ−Ｃポートに通信可能に接続され、前記ＵＳＢ  Ｔｙｐｅ−Ｃポートの構成チャネルを用いて、ＤｉｓｐｌａｙＰｏｒｔモードで動作するように前記ユーザコンピュータ装置の差動データチャネルペアを構成するために前記ユーザコンピュータ装置に要求を送信し、符号化スキームに従って、前記ＭＩＰＩフォーマットのデータ及び／又は前記Ｉ２Ｓフォーマットのデータを圧縮されたメディアデータストリームに圧縮する前記ハードウェアプロセッサと、前記圧縮されたメディアデータストリームを受信し、無線ネットワークを用いて、前記圧縮されたメディアデータストリームを、前記メディアコンテンツを表示するための大型表示装置に送信する無線送信機／受信機と、を含む、通信装置を提供する。
本開示の第２態様では、ＵＳＢ  Ｔｙｐｅ−Ｃポートを介したユーザコンピュータ装置への接続が識別された場合、ハードウェアプロセッサが前記ＵＳＢ  Ｔｙｐｅ−Ｃポートの構成チャネルを用いて前記ユーザコンピュータ装置に要求を送信するステップであって、前記要求は、ＤｉｓｐｌａｙＰｏｒｔモードで動作するように前記ユーザコンピュータ装置の差動データチャネルペアを構成するために前記ユーザコンピュータ装置に指示する、ステップと、アクチュエータが有効状態にあると決定された場合、前記ＵＳＢ  Ｔｙｐｅ−Ｃポートの第１差動データチャネルペアを介して、前記ユーザコンピュータ装置に表示されたメディアコンテンツを搬送するＤｉｓｐｌａｙＰｏｒｔデータパケットを受信するステップであって、前記メディアコンテンツは、前記ユーザコンピュータ装置で表示されたビデオデータ又はオーディオデータのうちの少なくとも１つを含む、ステップと、前記ＤｉｓｐｌａｙＰｏｒｔデータパケットをフォーマット変換されたメディアデータに変換するステップであって、前記フォーマット変換されたメディアデータは、ＭＩＰＩ（Ｍｏｂｉｌ  Ｉｎｄｕｓｔｒｙ  Ｐｒｏｃｅｓｓｏｒ  Ｉｎｔｅｒｆａｃｅ）ビデオデータ又はＩ２Ｓ（Ｉｎｔｅｒ−ＩＣ  Ｓｏｕｎｄ）オーディオデータのうちの少なくとも１つを含む、ステップと、符号化スキームに従って、前記フォーマット変換されたメディアデータを圧縮されたメディアデータストリームに符号化するステップと、無線ネットワークを用いて、前記圧縮されたメディアデータストリームを、前記メディアコンテンツを表示するための大型表示装置に送信するステップと、を含む、通信方法を提供する。
本開示の第３態様では、プロセッサ実行可能な命令が記憶されている非一時的なコンピュータ読み取り可能な記憶媒体であって、前記命令を実行する際に、ハードウェアプロセッサは、上記の通信方法を行う、記憶媒体を提供する。
本開示の第４態様では、大型表示装置と、無線ネットワークを介して前記大型表示装置に接続された、上記の通信装置と、を含み、前記大型表示装置は、前記大型表示装置のタッチスクリーンとのユーザインタラクションに関連するパラメータデータを取り込むフィードバック装置と、前記取り込まれたパラメータデータを前記通信装置に送信する第２無線送信機／受信機と、を含む、通信システムを提供する。
【手続補正３】
【補正対象書類名】明細書
【補正対象項目名】００２４
【補正方法】変更
【補正の内容】
【００２４】
図３は本開示の態様に係るメディアコンテンツを大型タッチスクリーンに送信するためのドングルに態様されるソフトウェアプラットフォーム３００を示す図である。図３に示すように、ソフトウェアプラットフォーム３００は、ドングルのＵＳＢ−ＣポートからＵＳＢ−Ｃ信号３０２を受信してもよい。ＵＳＢ−Ｃ信号３０２は、例えばパーソナルコンピュータなどのユーザコンピュータ装置からのメディアコンテンツのビデオ及びオーディオデータを搬送するＤｉｓｐｌａｙＰｏｒｔデータパケットを含んでもよい。ドングル上のアクチュエータにより生成されるオン／オフ（ＯＮ／ＯＦＦ）制御信号３１８は、大型タッチスクリーンへのメディアコンテンツの送信を開始するか否かを制御してもよい。アクチュエータを作動させる前に、制御信号３１８はオフ状態を示してもよい。ドングルにより受信されたＤｉｓｐｌａｙＰｏｒｔデータパケットは、それ以上処理せずに破棄されてもよい。アクチュエータが作動し、且つ制御信号３１８がオンを示していると検出された場合、ドングルの信号変換回路は、生ビデオデータ（例えばＹＵＶ画像）及び生オーディオデータ（例えばＰＣＭオーディオデータ）をＤｉｓｐｌａｙＰｏｒｔデータパケットから抽出してもよい。さらに、信号変換回路は、生ビデオデータをフォーマット変換されたビデオストリームに変換することができるビデオストリーム変換器３０４を実現してもよい。１つの態様では、フォーマット変換されたビデオストリームはＭＩＰＩフォーマットである。信号変換回路は、生オーディオデータをフォーマット変換されたオーディオストリームに変換することができるオーディオストリーム変換器３０６を実現してもよい。１つの態様では、フォーマット変換されたオーディオストリームは、Ｉ２Ｓフォーマットである。
【国際調査報告】
2021520692.tif 000008
2021520692.tif 000009
2021520692.tif 000010